(57)【要約】  【課題】被験者の睡眠感が簡単に判定でき、しかも長期間の測定に適した睡眠感判定方法及び判定装置を提供する。  【解決手段】液体を封入した可撓性容器１を睡眠中の被験者の頭に接触させ、当該容器１内の液体の圧力を測定し、前記液体の圧力がしきい値を超えて変動した時間の和をとることにより、体動時間を測定する。前記測定された体動時間を、あらかじめ用にした検量線に当てはめることにより睡眠感を判定する。  【効果】睡眠中に測定できるので、被験者が特別に意識しなくても、測定を行うことができ、長期間にわたって測定を続けることが容易にできる。したがって、被験者の睡眠感のデータを長期間にわたって得ることができる。【選択図】        図４
2006158656.tif 000002
【特許請求の範囲】
【請求項１】
被験者の睡眠中の体動時間を測定し、
前記測定された体動時間に基づいて被験者の睡眠感を判定することを特徴とする睡眠感判定方法。
【請求項２】
前記体動時間を測定する方法は、液体を封入した可撓性容器を睡眠中の被験者の部位に直接的又は間接的に接触させ、当該容器内の液体の圧力を測定し、前記液体の圧力がしきい値を超えて変動した時間の和をとることである、請求項１記載の睡眠感判定方法。
【請求項３】
前記被験者の部位は、頭である請求項２記載の睡眠感判定方法。
【請求項４】
前記測定された体動時間に基づいて被験者の睡眠感を判定する方法は、体動時間と被験者の睡眠感との関係を表す検量線をあらかじめ用意しておき、前記測定された体動時間をこの検量線に当てはめることにより判定することである、請求項１記載の睡眠感判定方法。
【請求項５】
液体を封入した可撓性容器を枕に配置し、被験者の頭を枕に乗せた状態で、当該容器内の液体の圧力変化を測定する圧力測定手段と、
前記圧力測定手段による測定結果に基づいて被験者の睡眠中の体動時間を算出し、前記算出された体動時間に基づいて被験者の睡眠感を判定する判定手段とを備えることを特徴とする睡眠感判定装置。
【請求項６】
液体を封入した可撓性容器と、
前記可撓性容器を設置した板と、
前記板を枕に配置し、被験者の頭を枕に乗せた状態で、当該容器内の液体の圧力変化を測定する圧力測定手段と、
前記圧力測定手段による測定結果に基づいて被験者の睡眠中の体動時間を算出し、前記算出された体動時間に基づいて被験者の睡眠感を判定する判定手段とを備えることを特徴とする睡眠感判定装置。
【請求項７】
被験者の睡眠時間と睡眠中の体動時間を測定し、
体動時間の睡眠時間に対する割合を算出し、
前記算出された割合に基づいて被験者の睡眠感を判定することを特徴とする睡眠感判定方法。
【請求項８】
前記体動時間を測定は、液体を封入した可撓性容器を睡眠中の被験者の部位に直接的又は間接的に接触させ、当該容器内の液体の圧力を測定し、前記液体の圧力がしきい値を超えて変動した時間の和をとることである、請求項７記載の睡眠感判定方法。
【請求項９】
前記被験者の部位は、頭である請求項８記載の睡眠感判定方法。
【請求項１０】
前記割合に基づいて被験者の睡眠感を判定する方法は、体動時間の睡眠時間に対する割合と被験者の睡眠感との関係を表す検量線をあらかじめ用意しておき、前記算出された割合をこの検量線に当てはめることにより判定することである、請求項７記載の睡眠感判定方法。
【請求項１１】
液体を封入した可撓性容器を枕に配置し、被験者の頭を枕に乗せた状態で、当該容器内の液体の圧力変化を測定する圧力測定手段と、
前記圧力測定手段による測定結果に基づいて、被験者の睡眠時間と睡眠中の体動時間とを算出し、体動時間の睡眠時間に対する割合を算出し、前記算出された割合に基づいて被験者の睡眠感を判定する判定手段とを備えることを特徴とする睡眠感判定装置。
【請求項１２】
液体を封入した可撓性容器と、
前記可撓性容器を設置した板と、
前記板を枕に配置し、被験者の頭を枕に乗せた状態で、当該容器内の液体の圧力変化を測定する圧力測定手段と、
前記圧力測定手段による測定結果に基づいて、被験者の睡眠時間と睡眠中の体動時間とを算出し、体動時間の睡眠時間に対する割合を算出し、前記算出された割合に基づいて被験者の睡眠感を判定する判定手段とを備えることを特徴とする睡眠感判定装置。
【発明の詳細な説明】
【技術分野】
【０００１】
本発明は、被験者の睡眠中の体動時間に基づいて判定される睡眠感判定方法及びこの方法を実施することができる判定装置に関するものである。
【背景技術】
【０００２】
被験者の睡眠感を判定するために種々の方法が考案されている。例えば、ベッドに圧力を検出する素子などを配置して、人の体動を検出し、その体動に周期性が生じているかどうかを判断して睡眠の質を評価する装置が知られている（下記特許文献１参照）。
【特許文献１】特開平６−９８８６３号公報
【特許文献２】特開平５−９５９３５号公報
【特許文献３】特開平５−２４５１４８号公報
【発明の開示】
【発明が解決しようとする課題】
【０００３】
しかし、前記特許文献１における判定方法は、体動の周期性に基づいて判定しており、体動の周期性を検出する演算手段が必要である。
一方、発明者は、健康管理のための生体情報モニタ方法の一つとして、就寝中において、体の動きを圧力変化としてとらえ、高感度かつ低ノイズで測定できる体動時間、呼吸数又は心拍数のモニタ方法を提案している。
【０００４】
この体動時間、呼吸数又は心拍数のモニタ方法は、水などの液体を可撓性容器に封入し、前記容器を、板に貼り付けて枕の下に設置し、被験者の頭を枕の上に載せて、前記容器に封入された液体の圧力変化を測定する方法である。
この方法を用いれば、被験者の睡眠中に測定が完了してしまうので、被験者は何もしなくてもよい。したがって、長期にわたって測定を習慣的に行いやすいという利点がある。
【０００５】
本発明者は、前記体動時間、呼吸数又は心拍数のモニタ方法を、人の睡眠感の判定に採用できないかどうか検討したところ、体動の周期性を検出しなくても、体動時間と睡眠感とに相関関係があることを見いだした。
したがって、体動時間を毎日測定し続けることによって、睡眠感を簡単に判定できるようになると期待できる。
【０００６】
本発明は、被験者の睡眠感が簡単に判定でき、しかも長期間の測定に適した睡眠感判定方法及び判定装置を提供することを目的とする。
【課題を解決するための手段】
【０００７】
（１）本発明の睡眠感判定方法は、被験者の睡眠中の体動時間を測定し、前記測定された体動時間に基づいて被験者の睡眠感を判定する方法である。
この方法によれば、睡眠中に被験者の寝返りなどをした時間、すなわち体動時間を測定するだけで、被験者の睡眠感を判定することができる。体動時間は、睡眠中に測定できるので、被験者が特別に意識しなくても、測定を行うことができ、長期間にわたって測定を続けることが容易にできる。したがって、被験者の睡眠感のデータを長期間にわたって得ることができる。
【０００８】
前記体動時間を測定する方法は、例えば、液体を封入した可撓性容器を睡眠中の被験者の部位に直接的又は間接的に接触させ、当該容器内の液体の圧力を測定し、前記液体の圧力がしきい値を超えて変動した時間の和をとることにより測定できる。「間接的に接触」とは、例えば、板、布、枕等を介して、被験者の部位に接触させることをいう。
前記被験者の部位は、例えば頭である。
【０００９】
前記測定された体動時間に基づいて被験者の睡眠感を判定するには、体動時間と被験者の睡眠感との関係を表す検量線をあらかじめ用意しておき、前記測定された体動時間をこの検量線に当てはめることにより判定できる。
また、本発明の睡眠感判定装置は、液体を封入した可撓性容器を枕に配置し、被験者の頭を枕に乗せた状態で、当該容器内の液体の圧力変化を測定する圧力測定手段と、前記圧力測定手段による測定結果に基づいて被験者の睡眠中の体動時間を算出し、前記算出された体動時間に基づいて被験者の睡眠感を判定する判定手段とを備えるものである。
【００１０】
前記液体を封入した可撓性容器を設置した板を用意し、この板を前記枕に配置してもよい。
この睡眠感判定装置によれば、脳内に送られる血液の量が心拍のために変化するために、頭部の重量が微妙に変化し、それにより可撓性容器の圧力に変化が現れる。この可撓性容器を例えば枕の上又は下に配置することにより、頭部の重量変化や動きを検出することができる。
【００１１】
被験者に体動があれば、当該容器内の液体の圧力変化によって、その体動の検出ができる。そして、検出された体動の時間の和をとることにより、被験者の体動時間の算出ができる。被験者に違和感や拘束感を与えることがなく、被験者は寝ているだけでよい。被験者に手間をかけさせないので、測定を続けることが容易にでき、睡眠感のデータを長期間にわたって得ることができる。
【００１２】
（２）本発明の他の睡眠感判定方法は、被験者の睡眠時間と睡眠中の体動時間を測定し、体動時間の睡眠時間に対する割合を算出し、前記算出された割合に基づいて被験者の睡眠感を判定する方法である。この方法と、前記方法との違いは、体動時間の睡眠時間に対する割合に基づいて被験者の睡眠感を判定することである。
この方法によっても、被験者の睡眠感を判定することができる。体動時間は、睡眠中に測定できるので、被験者が特別に意識しなくても、測定を行うことができ、長期間にわたって測定を続けることが容易にできる。したがって、被験者の睡眠感のデータを長期間にわたって得ることができる。
【００１３】
また、本発明の睡眠感判定装置は、液体を封入した可撓性容器を枕に配置し、被験者の頭を枕に乗せた状態で、当該容器内の液体の圧力変化を測定する圧力測定手段と、前記圧力測定手段による測定結果に基づいて、被験者の睡眠時間と睡眠中の体動時間とを算出し、体動時間の睡眠時間に対する割合を算出し、前記算出された割合に基づいて被験者の睡眠感を判定する判定手段とを備えるものである。
【００１４】
前記液体を封入した可撓性容器を設置した板を用意し、この板を前記枕に配置してもよい。
この装置と、前記装置との違いは、体動時間の睡眠時間に対する割合に基づいて被験者の睡眠感を判定することである。この装置を用いても、被験者に手間をかけさせないので、測定を続けることが容易にでき、睡眠感のデータを長期間にわたって得ることができる。
【発明を実施するための最良の形態】
【００１５】
以下、本発明の実施の形態を、添付図面を参照しながら詳細に説明する。
＜判定装置＞
図１（ａ）は、本発明の睡眠感判定方法を実施するための体動時間を測定するシステムを示す平面図、図１（ｂ）は側断面図である。この測定システムは、圧力を感知する部材として、水が封入されたチューブ１，２を、２枚の板３ａ，３ｂの間に設置している。板３ｂは透明なものとして描いている。２枚の板３ａ，３ｂどうしは、テープ（図示せず）で固定している。
【００１６】
チューブ１，２は、合成樹脂製のシートを材料として使用し、このシートを、シーラーによって熱融着し、所定の直径と長さをもつチューブ状に加工したものである。なお、チューブ１，２に封入しているのは水であるが、水以外にも、シリコンオイルなどのような液体を封入してもよい。
板３ａ，３ｂの厚みは０．５から４ｍｍとする。板３ａ，３ｂの材質は、限定されないが、木、又はアクリルなどの合成樹脂があげられる。その硬さは、頭の荷重を与えたときに２枚の板が変形して接触しない硬さであればよい。
【００１７】
なお、板３ａ，３ｂを使わずに、チューブ１，２を枕Ｐの上に置き、被験者の頭がチューブ１，２に直接接触するようにしてもよい。
チューブ１，２の一端に、バルブ８を取り付けている。チューブ１，２の他端には、チューブ１，２内の水の圧力を測定するための圧力センサ４を取り付けている。圧力センサ４は、心拍、呼吸、体動に基づく圧力を測定するものである。圧力センサは、チューブ１又は２の一方にのみ取り付け、測定してもよい。
【００１８】
圧力センサ４の構造は限定されないが、例えばチューブ１，２に接続される金属製円筒容器の底面にダイヤフラムを取り付けた構造のものでもよい。このダイヤフラムに、ダイヤフラムの変形を電気信号に変換する歪ゲージを取り付けて、その検知信号を出力するようにする。
圧力センサ４の検知信号は、増幅器５に供給され、ここで電圧増幅されるとともに増幅器５内部のハイパスフィルタを通されて、心拍、呼吸又は体動に基づく圧力の変化分のみが取り出される。増幅器５の電圧増幅率は、非常に微小な圧力変化を測定するため、回路に応じて最適な値に設定する。例えば２倍から１０倍に設定する。ハイパスフィルタを通す理由は、チューブ１，２に封入された水の静水圧や、頭をチューブ１，２に接触させたときに加わる静水圧を差し引いて、オフセット値である０ボルトを中心として、心拍、呼吸、体動による水圧の変化のみを表示し記録したいためである。ハイパスフィルタの遮断周波数は、例えば０．０８Ｈｚに設定する。また、増幅器５においては、高周波のノイズを除くため、信号をローパスフィルタに通す。ローパスフィルタの遮断周波数は、例えば３．３４Ｈｚに設定する。
【００１９】
図２は、増幅器５の具体的な回路図である。増幅器５の増幅チャンネルは１チャンネルのみ表示しているが、チューブが２本あり圧力センサも２つある場合は、増幅器５も２つの増幅チャンネルを持つ必要がある。
この回路によれば、圧力センサ４の検知信号が、０．０８ＨｚのハイパスフィルタＨＰＦと、３．３４ＨｚのローパスフィルタＬＰＦ通過し、１０ｋΩの抵抗を通して演算増幅器５１に印加されている。演算増幅器５１の出力は、５０ｋΩの可変抵抗器を通して演算増幅器５１の入力側にフィードバックされており、これにより、２倍（３ｄＢ）から５倍（１０ｄＢ）の可変増幅率で検知信号の反転増幅を行うことができる。
【００２０】
増幅器５から取り出された検知信号は、Ａ／Ｄ変換器６でディジタル信号に変換されて、所定の入出力インターフェイスを通してコンピュータ７に入力される。
なお、前記増幅器５からＡ／Ｄ変換器６を経てコンピュータ７の内部に至るまでの経路に、圧力検知信号を、その中に含まれる心拍数の信号と呼吸数の信号に分離するために、遮断スロープの鋭いフィルタを設けることが望ましい。例えば、心拍数の信号を分離するには、０．８〜５Ｈｚのバンドパスフィルタを通せば取り出すことができ、呼吸数の信号を分離するには、０．５Ｈｚのローパスフィルタを通せば呼吸数のみによる圧力変化を取り出すことができる。これらのフィルタは、前記増幅器５からＡ／Ｄ変換器６までのアナログ部分に設置する場合は、ＩＣやトランジスタを用いたフィルタ回路で実現することができ、Ａ／Ｄ変換器６からコンピュータ７までのディジタル部分に設置する場合は、ハードウェア又はソフトウェアで構成されるディジタルフィルタで実現することができる。
【００２１】
コンピュータ７に入力された圧力検知信号は、計算ソフトを用いて、コンピュータ７付属の表示器の上にグラフ化して表示させる。表示と同時に、あるいは表示なしでプリンタを使って紙のチャートに記録させてもよい。
＜判定方法＞
板３ｂの上に枕Ｐを載せて、前記体動時間を測定するシステムを用いて、被験者の睡眠時間と、睡眠中の体動時間を測定する。
【００２２】
体動は、圧力検知信号の値がしきい値を超えた場合に、起こっていると判断する。
睡眠時間は、被験者が床について前記体動時間を測定するシステムを起動操作してから、起床して前記体動時間を測定するシステムを停止操作するまでの時間とすればよい。
なお、被験者は前記体動時間を測定するシステムを起動操作してから寝るまでにしばらく時間がかかることを考慮すれば、前記体動時間を測定するシステムが起動され、チューブの上に頭が乗ったことにより起こる加圧を検知した後、被験者の体動が一定時間観測されなかった場合に、この一定時間経過時点を睡眠開始と判断してもよい。これは、睡眠の初めに眠りの深い時期があることを想定している。頭が乗ったことにより起こる加圧は、頭部の重量が加わることによって生じるが、圧力センサの絶対値、つまりハイパスフィルタを通る前の電圧信号がしきい値を上回ったことにより判断できる。また、心拍や呼吸の波が計測され、眠り始めると心拍数が低下していくので、前記体動時間を測定するシステムが起動された後、被験者の心拍数が一定割合低下した時点を睡眠開始と判断してもよい。
【００２３】
また、被験者は前記体動時間を測定するシステムを停止操作した時にはすでに起きていることを考慮すれば、前記体動時間を測定するシステムが停止される前、圧力センサの絶対値がしきい値を下回り、さらに心拍や呼吸の波が計測されなくなり、被験者の体動が一定時間観測されなかった場合に、この一定時間の経過時点を睡眠終了と判断してもよい。
被験者の睡眠中に、コンピュータ７に入力された圧力検知信号を、計算ソフトを用いて、コンピュータ７付属のプリンタを使って紙のチャートに記録させた一例を、図４のグラフに示す。
【００２４】
図４の横軸は時刻を表す。一目盛りは１５秒である。縦軸は、電圧に換算された圧力検知信号を表す。圧力の中心が０、上がプラス、下がマイナスであり、目盛りは相対目盛りである。
圧力検知信号には、しきい値Ｖthを設定している。しきい値Ｖthを超えると、体動があったとみなす。しきい値Ｖthの具体的数値は、実際の体動を観察して経験的に設定するとよい。図４では、時刻約１８３秒から約２０３秒までと、２１７秒と、２２４秒以後に、体動が観測されている。
【００２５】
以上のようにして、睡眠時間と体動時間とが測定されると、体動時間／睡眠時間を計算する。
以下に示す本発明の実施例では、睡眠時間と被験者の睡眠感との関係、体動時間被験者の睡眠感との関係、体動時間／睡眠時間と被験者の睡眠感との関係をそれぞれ求め、睡眠感判定方法を評価する。
【実施例】
【００２６】
図３は、この体動時間を測定するシステムを用いて体動時間を測定している状態を示す平面図（ａ）および側面図（ｂ）である。
このシステムは、圧力を感知する部材として、水が封入されたチューブ１を、２枚の板３ａ，３ｂの間、頸に近い位置に設置している。もう１本の頸から遠い方のチューブ１４は、スペーサとして使用している。
【００２７】
板３ａ，３ｂは２ｍｍ厚、３００×１５０ｍｍのアクリル板を使用した。
チューブ１は、ナイロン製の厚み０．１ｍｍのシートから作成した。このシートを、シーラーによって熱融着し、直径６．４ｍｍ、長さ３００ｍｍをもつチューブに加工した。水を４ｋＰａの大気圧との差圧で封入した。水の体積は、９．５ｃｍ3であった。
アクリル板３ｂの上には、短く切断した合成樹脂のパイプを多数封入した枕を載せた。パイプの断面直径は４ｍｍ、長さは５ｍｍである。封入量は、８５０ｇ、枕のサイズは５０ｃｍ×３０ｃｍである。
【００２８】
圧力センサ４には、株式会社キーエンス製のセンサヘッドＡＰ−１２を使用した。増幅器５の回路構成は、前に図２に示したものと基本的に同じであり、ハイパスフィルタも含まれている。ハイパスフィルタの遮断周波数は０．０８Ｈｚ、増幅率は３倍に設定した。
なお、前記チューブ１と圧力センサ４のセンサヘッドとの間を、さらに、ナイロン製の内径２．４ｍｍ、外径４ｍｍ、長さ１０ｃｍのカテーテルでつないだ。
【００２９】
また、チューブ１内の水の圧力と大気圧との差圧（静止圧）を測定するための差圧計をバルブ８の先に取り付けた。この差圧計としては、長野計器株式会社製のディジタル差圧計ＧＣ５０を用いて測定した。
増幅器５の出力信号は、株式会社キーエンス製のデータ収集システムＮＲ−２０００によって収集し、ここでＡ／Ｄ変換をした。サンプリング周波数は、１００Ｈｚとした。変換後のデータは、パーソナルコンピュータ７に取り込み、サイバネットシステム株式会社が販売しているデータ解析ソフトウェア"ＭＡＴＬＡＢ"を用いて、測定結果をデータ処理し、ディスプレイに表示させた。この処理において、心拍数の信号と呼吸数の信号とを分離するために、データ解析ソフトウェア上で、呼吸数の信号を分離するために遮断周波数０．５Ｈｚのローパスフィルタを設定し、心拍数の信号を分離するために通過帯域幅０．８Ｈｚ〜５Ｈｚのバンドパスフィルタを設定した。
【００３０】
被験者の睡眠中に、コンピュータ７に入力された圧力検知信号を、計算ソフトを用いて、コンピュータ７付属のプリンタを使って紙のチャートに記録させた一例を、図４のグラフに示す。この図４は、前掲したものと同じである。図４では、時刻約１８３秒から約２０３秒までと、２１７秒と、２２４秒以後に、体動が観測されている。
この被験者の、９２日にわたる、体動時間のデータを収集した。この結果を、表１から表３に示す。表１から表３において、体動時間、睡眠時間、及び体動時間／睡眠時間の各データを掲げている。データが抜けている日は、旅行・出張等で外泊した日などのため測定ができなかった日である。
【００３１】
また、被験者の睡眠感を４段階に分けて自己評価してもらった。評価結果は、朝起きてよく眠れたかどうかを、
「非常によい」：◎
「よい」：○
「あまりよくない」：△
「悪い」：×
で表す。
【００３２】
１日目から３１日目までのデータと評価結果を表１に、３２日目から６１日目までのデータと評価結果を表２に、６２日目から９２日目までのデータと評価結果を表３に、それぞれ示す。
【００３３】
【表１】
2006158656.tif 000003
【００３４】
【表２】
2006158656.tif 000004
【００３５】
【表３】
2006158656.tif 000005
【００３６】
前記体動時間、睡眠時間、体動時間／睡眠時間のデータと、睡眠感の評価結果の関係を、表４から表１２にまとめなおした。
【００３７】
【表４】
2006158656.tif 000006
【００３８】
【表５】
2006158656.tif 000007
【００３９】
【表６】
2006158656.tif 000008
【００４０】
【表７】
2006158656.tif 000009
【００４１】
【表８】
2006158656.tif 000010
【００４２】
【表９】
2006158656.tif 000011
【００４３】
【表１０】
2006158656.tif 000012
【００４４】
【表１１】
2006158656.tif 000013
【００４５】
【表１２】
2006158656.tif 000014
【００４６】
表４から表６は、体動時間を睡眠感別に記載している。表７から表９は、睡眠時間を睡眠感別に記載している。表１０から表１２は、体動時間／睡眠時間を睡眠感別に記載している。また、各表の最下欄には、睡眠感別のひと月あたりの平均値を記載している。
表４から表６の体動時間と睡眠感別との関係をプロットしたグラフが、図５である。縦軸に睡眠感の点数、横軸に体動時間をとっている。睡眠感の点数は、◎→０点、○→１点、△→２点、×→３点である（以下同じ）。
【００４７】
プロットした点を最もよく近似する直線を最小自乗法で算出した。その直線を図中に示す。直線は右肩上がりになっており、体動時間が多いほど睡眠感が悪くなるという傾向が現れている。
したがって、この直線を検量線として利用すれば、睡眠中の体動時間を測定することにより、その人の睡眠感を判定することができる。
【００４８】
次に、表７から表９の睡眠時間と睡眠感別との関係をプロットしたものが、図６である。縦軸に睡眠感の点数、横軸に体動時間をとっている。プロットした点を最もよく近似する直線を図中に示す。各プロットされた点と直線との偏差は、他の図５や図７のものと比べて大きくなっている。直線は右肩上がりになっており、睡眠時間が多いほど睡眠感が悪くなるという傾向が現れているので、「睡眠時間が多いほど睡眠感がよい」という一般の予測と一致していない。
【００４９】
次に、表１０から表１２の体動時間／睡眠時間と睡眠感別との関係をプロットしたものが、図７である。縦軸に睡眠感の点数、横軸に体動時間／睡眠時間をとっている。プロットした点を最もよく近似する直線を図中に示す。直線は右肩上がりになっており、体動時間／睡眠時間が多いほど睡眠感が悪くなるという傾向が現れている。したがって、この直線を検量線として利用すれば、睡眠中の体動時間／睡眠時間を測定することにより、その人の睡眠感を判定することができる。
【００５０】
＜まとめ＞
以上の図５〜図７の結果から、体動時間のデータと睡眠感又は体動時間／睡眠時間のデータと睡眠感とで、それぞれ一定の相関関係が成立することがわかった。従って、被験者の体動時間、睡眠時間のデータを取得し、前記相関関係を利用して、被験者のその日その日の睡眠感を自動的に判定することができる。
【００５１】
そして、この判定された睡眠感のデータを用いて、被験者の病気の治療や予防に役立てたり、日頃の健康管理の指標としたりすることができる。
以上で、本発明の実施の形態を説明したが、本発明の実施は、前記の実施形態に限定されるものではない。例えば、体動時間の測定は、「液体を可撓性容器に封入し、前記容器を、板に貼り付けて枕の下に設置し、被験者の頭を枕の上に載せて、前記容器に封入された液体の圧力変化を測定する方法」に限られるものではない。心電図などから体動時間を測定する方法を用いても睡眠中の体動時間の測定ができるので、これらの方法を採用してもよい。その他、本発明の範囲内で種々の変更を施すことができる。
【図面の簡単な説明】
【００５２】
【図１】体動時間を測定するシステムを示すブロック図（ａ）及び断面図（ｂ）である。
【図２】増幅器５の具体的な回路図である。
【図３】この測定システムを用いて体動時間を測定している状態を示す平面図（ａ）及び断面図（ｂ）である。
【図４】被験者の睡眠中の圧力検知信号を記録したグラフである。
【図５】被験者の、体動時間のデータを収集し、プロットしたグラフである。
【図６】同じ被験者について、睡眠時間のデータをプロットしたグラフである。
【図７】同じ被験者について、体動時間／睡眠時間のデータをプロットしたグラフである。
【符号の説明】
【００５３】
１，２ チューブ
３ａ，３ｂ  板
４  圧力センサ
５  増幅器
６  Ａ／Ｄ変換器
７  コンピュータ
８  バルブ
９  枕
１４  チューブ
【図１】
2006158656.tif 000015
【図２】
2006158656.tif 000016
【図３】
2006158656.tif 000017
【図４】
2006158656.tif 000018
【図５】
2006158656.tif 000019
【図６】
2006158656.tif 000020
【図７】
2006158656.tif 000021